(57)【要約】【課題】使用者にとって電子眼鏡本体へ接続する際の位置合わせが簡単にできる接続機構を備えた着脱可能な電源装置を持つ電子眼鏡を提供する【解決手段】接続端子を持つ着脱可能な電源装置を備えた電子眼鏡において、前記接続端子の一部に第１の帯磁素子を設け、前記接続端子が接続すべき電子眼鏡本体の接続端子受け部の前記第１の帯磁素子と対向する面に磁極が前記第１の帯磁素子の磁極と反対の向きになるように第２の帯磁素子を配置する電子眼鏡。【選択図】図２
2009237451.tif 000002
【特許請求の範囲】
【請求項１】
接続端子を持つ着脱可能な電源装置を備えた電子眼鏡において、
前記接続端子の一部に第１の帯磁素子を設け、
前記接続端子が接続すべき電子眼鏡本体の接続端子受け部の前記第１の帯磁素子と対向する面に磁極が前記第１の帯磁素子の磁極と反対の向きになるように第２の帯磁素子を配置する電子眼鏡。
【請求項２】
前記接続端子には第１の電気配線が設けられており、
前記接続端子受け部には前記接続端子が接続されたときに前記第１の電気配線と接続できるように第２の電気配線が設けられている請求項１に記載の電子眼鏡。
【請求項３】
前記第１の電気配線と前記第２の配線は各々複数個あり、
前記第１の電気配線に平行して前記第１の帯磁素子がその磁極が交互になるように設けられており、
前記接続端子が接続されたときに前記第２の帯磁素子の磁極が前記第１の帯磁素子の磁極と反対になるように前記第２の電気配線に平行して設けられている請求項２に記載の電子眼鏡。
【請求項４】
前記第１及び第２の帯磁素子が、永久磁石である請求項１に記載の電子眼鏡。
【請求項５】
前記第１及び第２の帯磁素子が、各々被覆されるように配置されている請求項１に記載の電子眼鏡。
【請求項６】
前記電源装置が、ノーズパッドを兼用している請求項１に記載の電子眼鏡。
【請求項７】
前記ノーズパッドに、前記電源装置の接続端子を設ける請求項６に記載の電子眼鏡。
【請求項８】
前記ノーズパッドに、前記電源装置の電源を設ける請求項７に記載の電子眼鏡。
【請求項９】
前記電源が、１次電池又は２次電池である請求項８に記載の電子眼鏡。
【発明の詳細な説明】
【技術分野】
【０００１】
本発明は、電子眼鏡に使用される電源装置に関し、より詳細には、着脱可能な小型電源装置に好適に利用できるものである。
【背景技術】
【０００２】
従来、電子眼鏡に使用される着脱可能な電源装置は、眼鏡本体のデザインを損なうことなく小型軽量化できることから、ノーズパッド、モダンを用いたものが多く検討されている（例えば、特許文献１及び２参照。）。
【特許文献１】特開昭６２−２３７６６２号公報
【特許文献２】特開２００７−３０４５８７号公報
【発明の開示】
【発明が解決しようとする課題】
【０００３】
しかしながら、前記従来の構成では、眼鏡に使用するための電源装置は、眼鏡に電力供給を行うために、眼鏡本体に確実に接続する必要がある。ところが、眼鏡に使用するための電源装置は非常に小さいので、使用者にとって電源装置を眼鏡本体へ接続するときの位置合わせが困難であるという課題を有していた。
【０００４】
本発明は、前記従来の課題を解決するもので、使用者にとって眼鏡本体へ接続する際の位置合わせが簡単にできる電源装置を備えた電子眼鏡を提供することを目的とする。
【課題を解決するための手段】
【０００５】
前記従来の課題を解決するために、本発明の電子眼鏡は、接続端子を持つ着脱可能な電源装置を備えた電子眼鏡において、前記接続端子の一部に第１の帯磁素子を設け、前記接続端子が接続すべき電子眼鏡本体の接続端子受け部の前記第１の帯磁素子と対向する面に磁極が前記第１の帯磁素子の磁極と反対の向きになるように第２の帯磁素子を配置することを特徴としたものである。
【発明の効果】
【０００６】
本発明の電子眼鏡によれば、前記接続端子の一部に設けた帯磁素子の磁力によって簡単に接続部の位置合わせができるため、前記電源装置と前記眼鏡本体との誤接続を防止することもできる。
【発明を実施するための最良の形態】
【０００７】
以下に、本発明の電子眼鏡の実施の形態を図面とともに詳細に説明する。
【０００８】
（実施の形態１）
図１は本発明の実施の形態１における電子眼鏡の概略図を示す。図１に示すように電子眼鏡の主構成部品は、可変焦点レンズ１とフレームである。フレームは、さらに、リム２、ブリッジ３、テンプル４、ヨロイ５、ヒンジ６、モダン７、ノーズパッド８の部品から成る。リム２は、可変焦点レンズ１を固定するために、その外周部を囲むように配置され、左右２つのリム２は、ブリッジ３によりお互いに接続されている。また、テンプル４とテンプル４の先端にあるモダン７とノーズパッド８は、顔に眼鏡を固定する役割を担う。ヨロイ５は、テンプル４につながるリム２の両端部であり、ヒンジ６はリム２とブリッジ３で構成されるフロント部とテンプル４を接続している。本実施例でのノーズパッド８は、着脱可能であり、その内部に可変焦点レンズ１に電力を供給するための電池を備えている。このノーズパッド８を、本発明の電源装置として、以下、その詳細を説明する。
【０００９】
図２は本発明の実施の形態１における電源装置の概略図を示す。図２において、電源装置１７は着脱可能なノーズパッド８で構成され、パッド芯１０に電力が蓄えた電池を内蔵している。電源装置ａ１７の眼鏡本体との接続は、芯線（電源接続端子）が接続する構造で、パッドボックス１６、パッドアーム１５を介して行なわれる。電源側の接続端子ａ１１は、オス型（別名：凸型、ピンインサート など）構造で、永久磁石ａ１２が隣接配置される。また、眼鏡本体側の接続端子ｂ１３は、メス型（別名：凹型、ソケットインサート など）構造で永久磁石ｂ１４が隣接配置される。ここで、電源装置と眼鏡本体との位置合わせを磁力で行なうため、永久磁石ａ１２と永久磁石ｂ１４の極性（Ｎ極、Ｓ極）は異なる必要がある。また、磁力の極性（Ｎ極、Ｓ極）を電源の極性（＋極、−極）ごとでも変えることで、接続端子ａ１１と接続端子ｂ１３が対称構造でありながらも方向性を持ち、誤挿入が防止される。
【００１０】
図３は本発明の実施の形態１におけるノーズパッドの構成図を示す。図３において、パッド芯１０は下部ホルダーａ１８、電池２０、上部ホルダーａ１９で構成され、下部ホルダーａ１８と上部ホルダーａ１９の電池２０との接地には、接続端子ｃ２１と接続端子ｄ２２が使用される。また、下部ホルダーａ１８と上部ホルダーａ１９の接合部は、漏電・漏液防止のために接着剤等で封止されることが好ましいが方法はこれに限定するものではない。また、パッド芯はパッドに接着固定されるが、この方法以外にも一般的な眼鏡の固定方法が適用され、方法はこれに限定するものではない。
【００１１】
図４は本発明の実施の形態１における電源装置の概略の配線図を示す。図４（ａ）は下部ホルダーａ１８の上視図を示す。図４（ａ）において、下部受け穴２３は電池２０を受ける溝の内部に接続端子ｃ２１を受ける溝を備えている。図４（ｂ）は上部ホルダーａ１９の下視図を示す。図４（ｂ）において、上部受け穴２４は電池２０を受ける溝の内部に接続端子ｃ２１および接続端子ｄ２２と接続されるための接続端子ｅ２５および接続端子ｆ２６を備えている。
【００１２】
（実施の形態２）
次に、本発明の電源装置の別の実施例を実施の形態２に示す。実施の形態１との相異は、電源装置とパッドボックスとの接続形状にある。
【００１３】
図５に、本発明の実施の形態２における電源装置の概略図を示す。図５に示すように、電源装置２７は、着脱可能なノーズパッド８で構成され、パッド９に電力が蓄えられる。電源装置２７と眼鏡本体との接続は、パッドボックス１６、パッドアーム１５を介して行なわれる。電源側の接続端子ｇ３０は、永久磁石ｄ２９（Ｓ極／メス型）に隣接配置され、眼鏡本体側の接続端子ｈ３１は、永久磁石ｃ２８（Ｎ極／オス型）に隣接配置される。電源装置と眼鏡本体との位置合わせを磁力で行なうため、永久磁石ｃ２８と永久磁石ｄ２９の極性（Ｎ極、Ｓ極）は異なる必要がある。また、磁力の極性（Ｎ極、Ｓ極）を電源の極性（＋極、−極）ごとでも変えることで、接続端子ｇ３０と接続端子ｈ３１が対称構造でありながらも方向性を持ち、誤挿入が防止される。
【００１４】
図６は本発明の実施の形態２におけるノーズパッドの構成図を示す。図６に示すように、パッド９は主に下部ホルダーｂ３４、電池２０、永久磁石ｄ（Ｓ極／メス型）２９で構成され、下部ホルダーｂ３４と電池２０、電池２０と永久磁石ｄ（Ｓ極／メス型）２９との間には、それぞれ接続端子ｉ３２と接続端子ｊ３３が配置される。これにより、眼鏡本体側の接続端子ｈ３１と接地される。また、下部ホルダーｂ３４と永久磁石ｄ（Ｓ極／メス型）２９の接合部は、漏電・漏液防止のために接着剤等で封止されることが好ましいが方法はこれに限定するものではない。また、パッド芯はパッドに接着固定されるが、この方法以外にも一般的な眼鏡の固定方法が適用され、方法はこれに限定するものではない。
【産業上の利用可能性】
【００１５】
本発明にかかる電子眼鏡は、電源供給するための電源装置が取り外し可能であり、且つ眼鏡本体への位置決めを容易に出来るように構成したので、人体に装着して用いる装着型の電子機器の用途にも適用できる。
【図面の簡単な説明】
【００１６】
【図１】本発明の実施の形態１における電子眼鏡の概略図
【図２】本発明の実施の形態１における電源装置の概略図
【図３】本発明の実施の形態１におけるノーズパッドの構成図
【図４】（ａ）本発明の実施の形態１における下部ホルダーａ１８の上視図（ｂ）本発明の実施の形態１における上部ホルダーａ１９の下視図
【図５】本発明の実施の形態２における電源装置の概略図
【図６】本発明の実施の形態２におけるノーズパッドの構成図
【符号の説明】
【００１７】
１  可変焦点レンズ
２  ブリッジ
３  リム
４  ヨロイ
５  ヒンジ
６  テンプル
７  モダン
８  ノーズパッド
９  パッド
１０  パッド芯
１１  接続端子ａ（オス型）
１２  永久磁石ａ（Ｎ極／オス型）
１３  接続端子ｂ（メス型）
１４  永久磁石ｂ（Ｓ極／メス型）
１５  パッドアーム
１６  パッドボックス
１７  電源装置
１８  下部ホルダーａ
１９  上部ホルダーａ
２０  電池
２１  接続端子ｃ
２２  接続端子ｄ
２３  下部受け穴
２４  上部受け穴
２５  接続端子ｅ
２６  接続端子ｆ
２７  電源装置
２８  永久磁石ｃ（Ｎ極／オス型）
２９  永久磁石ｄ（Ｓ極／メス型）
３０  接続端子ｇ
３１  接続端子ｈ
３２  接続端子ｉ
３３  接続端子ｊ
３４  下部ホルダーｂ
【図１】
2009237451.tif 000003
【図２】
2009237451.tif 000004
【図３】
2009237451.tif 000005
【図４】
2009237451.tif 000006
【図５】
2009237451.tif 000007
【図６】
2009237451.tif 000008